(57)【特許請求の範囲】
【請求項１】
左右の柱材と、該柱材の間に多段に積み重ねる横材とを備えてなり、前記柱材は、下端のほぞを介して土台上に立設するとともに上端のほぞを介して梁材を支持し、前記横材は、それぞれ互いに嵌合可能な上面中央の突条、下面中央の係合溝を全長に形成し、前記柱材の保持溝に差し込むほぞを両端に形成するとともに、上下に貫通する込栓を介してユニット化し、各ユニットごとに連結金具を介して前記柱材に連結する一方、前記土台は、最下段の前記横材の係合溝に嵌合可能な突条を上面の全長に形成し、前記梁材は、最上段の前記横材の突条に嵌合可能な係合溝を下面の全長に形成することを特徴とする木造建物の壁構造。
【請求項２】
前記柱材は、前記保持溝に収納する連結金具と前記土台を上下に貫通するボルトとを介して前記土台に連結することを特徴とする請求項１記載の木造建物の壁構造。
【請求項３】
前記横材は、上下に貫通する通しボルトを介して一体に組み立てることを特徴とする請求項１または請求項２記載の木造建物の壁構造。
【発明の詳細な説明】
【０００１】
【発明の属する技術分野】
この発明は、調湿機能を有する高断熱の壁面を形成することができる木造建物の壁構造に関する。
【０００２】
【従来の技術】
建物の壁は、内壁材、外壁材、断熱材を組み合わせて形成するのが一般的である。
【０００３】
すなわち、壁は、柱や間柱などの構造材に対し、室内側からプラスタボードなどの内壁材を付設するとともに、室外側からサイジングボードなどの外壁材を付設し、内壁材、外壁材の間にグラスウールや発泡ウレタンなどの断熱材を介装して構成されている。
【０００４】
【発明が解決しようとする課題】
かかる従来技術によるときは、内壁材、外壁材、断熱材は、吸放湿性を有しないから、室内の湿度を調節する調湿機能が全くない上、断熱材の他に内壁材、外壁材を使用するから、構造が複雑であり、全体の施工コストが高くなりがちであるという問題があった。
【０００５】
そこで、この発明の目的は、かかる従来技術の問題に鑑み、柱材の間に木質の横材を多段に積み重ねることによって、調湿機能を有する高断熱の壁面を容易に作ることができる木造建物の壁構造を提供することにある。
【０００６】
【課題を解決するための手段】
かかる目的を達成するためのこの発明の構成は、左右の柱材と、柱材の間に多段に積み重ねる横材とを備えてなり、柱材は、下端のほぞを介して土台上に立設するとともに上端のほぞを介して梁材を支持し、横材は、それぞれ互いに嵌合可能な上面中央の突条、下面中央の係合溝を全長に形成し、柱材の保持溝に差し込むほぞを両端に形成するとともに、上下に貫通する込栓を介してユニット化し、各ユニットごとに連結金具を介して柱材に連結する一方、土台は、最下段の横材の係合溝に嵌合可能な突条を上面の全長に形成し、梁材は、最上段の横材の突条に嵌合可能な係合溝を下面の全長に形成することをその要旨とする。
【０００７】
なお、柱材は、保持溝に収納する連結金具と土台を上下に貫通するボルトとを介して土台に連結することができる。
【０００８】
また、横材は、上下に貫通する通しボルトを介して一体に組み立てることができる。
【００１２】
【作用】
かかる発明の構成によるときは、横材は、左右の柱材の保持溝に両端のほぞを差し込み、上面の突条、下面の係合溝を互いに嵌合させて柱材の間に多段に積み重ね、柱材の間に壁面を形成することができる。すなわち、各段の横材は、下段の上面の突条を上段の下面の係合溝に嵌合させ、両端のほぞを柱材の保持溝に差し込むことにより、隙間を生じることがなく、雨水が浸入するおそれもない。なお、横材は、木材、殊に乾燥処理済みの天然木材または合成木材を使用することにより、吸放湿性を備える木質の壁面を構築し、良好な断熱性、調湿性を実現することができる。
【００１３】
柱材を立設する土台は、上面の突条を最下段の横材の係合溝に嵌合させることにより、最下段の横材との間に隙間を生じるおそれがない。なお、突条は、土台の上面の全長に形成する。
【００１４】
柱材により支持する梁材は、下面の係合溝に最上段の横材の突条を嵌合させることにより、最上段の横材との間に隙間を生じるおそれがない。なお、係合溝は、梁材の下面の全長に形成する。ただし、ここでいう梁材とは、柱材により支持する梁や桁などを総称していうものとする。
【００１５】
横材は、継手を介して長手方向に継ぎ合わせ、全体長さを柱材の間隔に合わせることにより、短い間伐材などを有効に利用することができる。なお、継手は、横材に使用する部材の端部を対称に切り欠いて形成する段継ぎ、相欠き継ぎの他、相欠き鎌継ぎ、金輪継ぎ、尻挟み継ぎ、追掛け継ぎなどを使用することができ、これらの継手には、楔や込栓を併用することが好ましい。
【００１６】
込栓を介して横材を連結することにより、２本以上の横材を連結してユニット化するとともに、壁面の全体強度を向上させることができる。なお、込栓は、左右の柱材の間に積み重ねるすべての横材または一部の横材を上下に貫通して設けるものとする。
【００１７】
横材は、上下に共通に係合するだぼを介して安定に連結し、それぞれの強度低下を最少に抑えることができる。
【００１８】
横材は、通しボルトを介して組み立てることにより、各段を上下に密着させ、一体の壁パネルとして容易に工場生産することができる。
【００１９】
【発明の実施の形態】
以下、図面を以って発明の実施の形態を説明する。
【００２０】
木造建物の壁構造は、左右の木質の柱材２１、２１と、柱材２１、２１の間に多段に積み重ねる木質の横材２２、２２…とを備えてなる（図１）。
【００２１】
柱材２１、２１は、土台１１上に立設されている。土台１１は、図示しないアンカボルトを介して布基礎１２上に固定されている。土台１１の上面には、突条１１ａが全長に亘って形成され、各柱材２１用のほぞ孔１１ｂが形成されている。
【００２２】
柱材２１、２１は、それぞれ左右の側面に保持溝２１ａ、２１ａが形成され、ほぞ２１ｂ、２１ｂが両端に形成されている（図１、図２）。ただし、図２（Ａ）、（Ｂ）は、それぞれ図１のＸ1 、Ｘ2 矢視相当の一部破断拡大図である。各柱材２１は、下端のほぞ２１ｂをほぞ孔１１ｂに挿入して土台１１上に立設され、込栓２１ｃを打ち込んで抜け止めされている。また、柱材２１、２１は、梁材３１を支持している。梁材３１は、下面の全長に係合溝３１ａが形成され、柱材２１、２１用のほぞ孔３１ｂ、３１ｂが形成されている。梁材３１は、ほぞ孔３１ｂ、３１ｂに柱材２１、２１の上端のほぞ２１ｂ、２１ｂを挿入し、込栓２１ｃ、２１ｃを打ち込んで外れ止めされている。
【００２３】
各横材２２は、上面、下面の全長に突条２２ａ、係合溝２２ｂが形成されている（図１、図３）。なお、突条２２ａ、係合溝２２ｂは、互いに嵌合可能であり、それぞれ横材２２の上面、下面の中央に形成されている。また、土台１１の突条１１ａは、横材２２の係合溝２２ｂに嵌合可能であり、梁材３１の係合溝３１ａには、横材２２の突条２２ａが嵌合可能である。横材２２の両端には、それぞれ柱材２１の保持溝２１ａに差込み可能なほぞ２２ｃが形成されている（図１、図４）。なお、土台１１、柱材２１、横材２２、梁材３１は、それぞれ天然木材または合成木材により木質に形成するものとする。
【００２４】
横材２２、２２…は、それぞれの両端のほぞ２２ｃ、２２ｃを左右の柱材２１、２１の保持溝２１ａ、２１ａに差し込み、下段の横材２２の突条２２ａを上段の横材２２の係合溝２２ｂに嵌合させ、土台１１上に多段に積み重ねることができる（図１、図３）。ただし、最下段の横材２２は、下面の係合溝２２ｂに土台１１の突条１１ａを嵌合させ、最上段の横材２２は、上面の突条２２ａを梁材３１の係合溝３１ａに嵌合させる。なお、梁材３１は、柱材２１、２１の間に横材２２、２２…を積み重ねた後、柱材２１、２１上に架設する。このようにして積み重ねる横材２２、２２…は、それぞれの間、土台１１、柱材２１、２１、梁材３１との間のいずれにも隙間を生じることがなく、柱材２１、２１の間に木質の頑丈な壁面を形成することができる。また、横材２２、２２…は、乾燥処理済みの木材を使用することにより、吸放湿性を備え、良好な調湿機能を有する壁面に仕上げることができる。
【００２５】
【他の実施の形態】
横材２２は、継手２２ｄを介し、部材Ａ、Ａを継ぎ合わせて形成してもよい（図５）。ただし、図５（Ａ）、（Ｂ）は、それぞれ継手２２ｄの組立前後の斜視図である。継手２２ｄは、部材Ａ、Ａの各先端に対称に形成する凹部２２ｄ1 、２２ｄ1 、段２２ｄ3 、２２ｄ3 、突部２２ｄ2 、２２ｄ2 を組み合わせて構成されている。継手２２ｄは、部材Ａ、Ａの先端側の突部２２ｄ2 、２２ｄ2 をそれぞれ凹部２２ｄ1 、２２ｄ1 に嵌め合わせ、段２２ｄ3 、２２ｄ3 の間に楔２２ｄ4 を打ち込んで部材Ａ、Ａを継ぎ合わせ、部材Ａ、Ａの突条２２ａ、２２ａ、係合溝２２ｂ、２２ｂを長手方向に連続させる。
【００２６】
各横材２２は、継手２２ｄを介して継ぎ合わせ、柱材２１、２１の間隔に適合させる（図６、図７）。なお、横材２２、２２…は、それぞれの継手２２ｄが上下に重ならないように積み重ねるものとする。すなわち、横材２２、２２…は、継手２２ｄを有する横材２２、有しない横材２２を交互に積み重ねてもよく（図６）、各段の横材２２の継手２２ｄの位置を左右に交互にずらして配置してもよい（図７）。ただし、図７（Ｂ）において、複数の継手２２ｄ、２２ｄを含む横材２２が使用されている。なお、各横材２２は、継手２２ｄによって区切られる部材Ａの長さを複数種類用意してモジュール化を図り、柱材２１、２１の間隔に適合する全体長さを簡単に実現することができる。
【００２７】
すなわち、横材２２、２２…は、継手２２ｄ、２２ｄの位置が上下に隣接して重ならない限り、継手２２ｄを有するもの、有しないものを任意に混在させて、または継手２２ｄを有するもののみを使用して積み重ねることができるものとする。また、継手２２ｄを有する各横材２２は、１以上の任意の継手２２ｄ、２２ｄ…を含むものとする。
【００２８】
横材２２、２２…は、上下に貫通する込栓２３、２３…を介して連結することができる（図６、図８）。各段の横材２２には、突条２２ａ、係合溝２２ｂに開口する込栓２３用の縦孔２２ｅが形成されており、込栓２３は、適当な本数の横材２２、２２…を積み上げるごとに横材２２、２２…を上下に貫通させて横材２２、２２…を連結する。なお、込栓２３は、継手２２ｄによって区切られる横材２２の各部材Ａごとに対応するように、横材２２、２２…の長手方向に配置することが好ましい（図６、図７）。また、込栓２３、２３を上下に継ぎ足す位置の横材２２は、２本の込栓２３、２３を隣接して貫通させ得るように、縦孔２２ｅを横材２２の長手方向に拡張するものとする（図６、図８）。ただし、土台１１、梁材３１には、それぞれ込栓２３の下端、上端を収納する凹部１１ｅ、３１ｅを形成することができる。
【００２９】
上下に継ぎ足す込栓２３、２３は、横材２２の上下の凹部２２ｅ1 、２２ｅ1 にそれぞれの先端を差し込み、一直線状に配置してもよい（図９（Ａ））。なお、込栓２３、２３は、単一の込栓２３用の縦孔２２ｅに上下から差し込み、単一の横材２２内において木口を突き合わせて継ぎ足してもよい（同図（Ｂ））。
【００３０】
上下に隣接する横材２２、２２は、だぼ２４を介して連結してもよい（図１０、図１１）。ただし、図１０（Ｂ）は、同図（Ａ）のＺ−Ｚ線矢視相当拡大断面図である。だぼ２４は、下段の横材２２の上面の凹部２２ｅ1 と、上段の横材２２の下面の凹部２２ｅ1 とに共通に嵌め込まれている。また、最下段の横材２２は、下面のだぼ２４、２４…を介して土台１１に連結し、最上段の横材２２は、上面のだぼ２４、２４…を介して梁材３１に連結する。なお、だぼ２４、２４…は、継手２２ｄを有する横材２２の各部材Ａの上面、下面に必ず係合するように、横材２２の長手方向に配置するのがよい。
【００３１】
横材２２、２２…は、上下に貫通する通しボルト２５、２５を介して一体に組み立てることができる（図１２、図１３）。ただし、図１３（Ｂ）は、同図（Ａ）のＡ−Ａ線矢視相当拡大断面図である。
【００３２】
各段の横材２２には、突条２２ａ、係合溝２２ｂに開口する通しボルト２５用の通し孔２２ｆが形成されており、通しボルト２５は、通し孔２２ｆ、２２ｆ…を上下に貫通させ、横材２２、２２…を一体の壁パネルとして組み立てることができる。なお、最下段の横材２２の下面側には、通しボルト２５の頭部２５ａ、座金２５ｃを収納する凹部２２ｆ1 が形成され、最上段の横材２２の上面側には、通しボルト２５用のナット２５ｂ、座金２５ｃを収納する凹部２２ｆ1 が形成されており、各凹部２２ｆ1 は、通し孔２２ｆを拡張するようにして形成されている。ただし、通しボルト２５は、横材２２、２２…の左右両端部に設けてもよく、横材２２の各部材Ａを貫通するように３本以上を設けてもよい。
【００３３】
なお、図１２、図１３において、横材２２、２２…は、図８と同様な込栓２３、２３を介して上下に連結されているが、込栓２３、２３に代えて、図１０のだぼ２４、２４…を使用してもよい。
【００３４】
図８の込栓２３は、ユニット化する複数本の横材２２、２２…の縦孔２２ｅ、２２ｅ…に対し、上端を最上段の横材２２の上面に突出させ、下端を最下段の横材２２の係合溝２２ｂの天面より高く位置決めしてもよい（図１４、図１５）。ただし、込栓２３は、たとえば最上段の横材２２の突条２２ａの上面からねじ釘２３ａを斜めに打ち込んで固定されている。上段のユニットを形成する横材２２、２２…は、下段のユニットの込栓２３、２３の上端を最下段の横材２２の縦孔２２ｅ、２２ｅの下部に挿入することにより、下段のユニットの横材２２、２２…上に積み重ねて連結することができる。ただし、このとき、最下段のユニットの最下段の横材２２は、図１０（Ａ）に倣って、横材２２の縦孔２２ｅの下部、土台１１側の凹部１１ｅに共通に嵌め込むだぼ２４を介して土台１１に連結するものとする。また、最上段のユニットの最上段の横材２２は、図８に倣って、上面に突出する込栓２３の上端を梁材３１側の凹部３１ｅに嵌め込んで梁材３１と連結すればよい。なお、図１４において、込栓２３は、必要に応じて各横材２２の長手方向に３本以上を配置してもよい。
【００３５】
なお、柱材２１の保持溝２１ａを段付き溝とし（図１４、図１６）、各横材２２のほぞ２２ｃは、保持溝２１ａに嵌合する段付きほぞとしてもよい。
【００３６】
各ユニットの最上段の横材２２の両端は、左右の柱材２１、２１に対し、それぞれＬ形の連結金具２６を介して連結することができる（図１４）。連結金具２６の垂直片２６ａ、水平片２６ｂは、それぞれ柱材２１の保持溝２１ａの底面、横材２２の突条２２ａの上面に埋め込むようにして釘付けされており（図１７）、連結金具２６の三角形の補強片２６ｃは、上段のユニットの最下段の横材２２に形成する下向きのスリット２２ｈに収納されている。ただし、スリット２２ｈは、横材２２の先端部に下向きの三角形に形成するに代えて、横材２２の全長に亘って下向きの背割りとして形成してもよい。なお、図１７（Ａ）〜（Ｃ）は、それぞれ図１４のＢ1 、Ｂ2 矢視相当、Ｂ3 −Ｂ3 線矢視相当の要部拡大図である。
【００３７】
各柱材２１は、保持溝２１ａに収納する縦長の連結金具２７と、土台１１を上下に貫通するボルト２７ｄとを組み合わせることにより、土台１１に対して強力に連結することができる（図１８）。ただし、連結金具２７は、柱材２１の保持溝２１ａの底面に埋め込むようにして釘付けする垂直片２７ａの下部に補強片２７ｃ、２７ｃ付きの台座片２７ｂを突設して構成されており、ボルト２７ｄは、ナット２７ｄ1 を介して台座片２７ｂに掛けられている。また、土台１１上の横材２２の先端には、台座片２７ｂ、ボルト２７ｄを収納する切欠き２２ｇが形成されている。なお、図１８（Ｂ）は、同図（Ａ）のＣ矢視相当図である。ただし、連結金具２７、ボルト２７ｄは、図１８に拘らず、柱材２１の左右両側に対称的に配設してもよいものとする。
【００３８】
各柱材２１の保持溝２１ａは、互いに平行な細幅の２条とし（図１９）、各横材２２の先端のほぞ２２ｃは、保持溝２１ａ、２１ａに適合する２条としてもよい。また、各ユニットの最上段の横材２２の先端は、突条２２ａの上面から斜めに打ち込むねじ釘２８を介して柱材２１に固定してもよい（図２０）。
【００３９】
以上の説明において、建物の隅角に位置する柱材２１は、隣接する２側面に保持溝２１ａ、２１ａを形成し、直交する２壁面を形成する横材２２、２２…の先端を保持すればよい。部屋の隅角に位置する柱材２１についても同様である。また、柱材２１は、その１側面のみ、または３側面、４側面にそれぞれ保持溝２１ａを形成することにより、壁面の終端位置に対応させ、またはＴ字状、十字状に交差する壁面に対応させることができる。
【００４０】
なお、上下に隣接する横材２２、２２の連結形態、柱材２１と横材２２との連結形態、横材２２と土台１１との連結形態は、以上説明した各形態をそれぞれ任意に組み合わせることができる。
【００４１】
【発明の効果】
以上説明したように、この発明によれば、左右の柱材の間に横材を多段に積み重ねることによって、横材は、上面の突条に下面の係合溝を嵌合させるとともに、両端のほぞを柱材の保持溝に差し込み、吸放湿性を備える壁面を形成することができるから、調湿機能を有する高断熱の壁面を容易に構築することができるという優れた効果がある。
【図面の簡単な説明】
【図１】  全体構成分解斜視説明図
【図２】  要部拡大構成説明図
【図３】  要部拡大縦断面図
【図４】  要部拡大分解構成図
【図５】  要部拡大組立説明図
【図６】  他の実施の形態を示す模式正面図
【図７】  他の実施の形態を示す要部模式説明図
【図８】  他の実施の形態を示す要部拡大分解斜視図
【図９】  他の実施の形態を示す要部拡大模式説明図
【図１０】  他の実施の形態を示す図６相当図
【図１１】  図１０の模式説明図
【図１２】  他の実施の形態を示す斜視図
【図１３】  図１２の要部拡大構成説明図
【図１４】  他の実施の形態を示す要部分解斜視図
【図１５】  図１４の要部拡大図（１）
【図１６】  図１４の要部拡大図（２）
【図１７】  図１４の要部拡大説明図
【図１８】  他の実施の形態を示す要部拡大説明図
【図１９】  他の実施の形態を示す図４相当図
【図２０】  他の実施の形態を示す要部拡大構成図
【符号の説明】
１１…土台
１１ａ…突条
２１…柱材
２１ａ…保持溝
２２…横材
２２ａ…突条
２２ｂ…係合溝
２２ｃ…ほぞ
２２ｄ…継手
２３…込栓
２４…だぼ
２５…通しボルト
３１…梁材
３１ａ…係合溝
【図１】
0003940994.tif 000002
【図２】
0003940994.tif 000003
【図３】
0003940994.tif 000004
【図４】
0003940994.tif 000005
【図５】
0003940994.tif 000006
【図６】
0003940994.tif 000007
【図７】
0003940994.tif 000008
【図８】
0003940994.tif 000009
【図９】
0003940994.tif 000010
【図１０】
0003940994.tif 000011
【図１１】
0003940994.tif 000012
【図１２】
0003940994.tif 000013
【図１３】
0003940994.tif 000014
【図１４】
0003940994.tif 000015
【図１５】
0003940994.tif 000016
【図１６】
0003940994.tif 000017
【図１７】
0003940994.tif 000018
【図１８】
0003940994.tif 000019
【図１９】
0003940994.tif 000020
【図２０】
0003940994.tif 000021